(57)【要約】      （修正有）【課題】本発明は、空気式運搬ラインにおける、砂粒形状原材料の嵩密度測定装置を提供する。【解決手段】砂粒形状原材料１が、温度プロファイル３を形成するための手段２を備えた略垂直な加熱されるシャフト４を通じて下方へ落下してシャフト４内の伝熱の結果として膨張させる方法において、膨張プロセスの品質を継続的にチェックするために、膨張した粒状物６の嵩密度が継続的に測定され、少なくとも１つの定義された嵩密度からの逸脱を検出すると、シャフト４内の温度プロファイル３が自動もしくは手動で適合され、かつ／またはシャフト４内への原材料１のフィードが自動もしくは手動で低減される。【選択図】図１
2019148592.tif 000002
【特許請求の範囲】
【請求項１】
空気式の運搬ラインに接続され得る分離装置を備え、
基部表面を有する少なくとも１つの測定容器が、前記分離装置の下に、前記分離装置からの粒状物フローの少なくとも一部を受け入れるための、動作状態で配され、
前記測定容器が、粒状物の嵩密度を決定するための測定装置に接続され、
前記測定容器は、前記粒状物フローの少なくとも一部を、前記測定容器を通じて継続的に排出ことを可能にするために、前記基部表面に開口部を有し、
前記測定装置は、前記測定容器を通じて流れる前記粒状物の重量を継続的に測定し、測定された前記重量に基づいて前記粒状物の前記嵩密度を決定するために、計量装置として構成される、
粒状物の嵩密度を測定するための装置。
【請求項２】
前記粒状物フローを集約化するための手段が、前記分離装置と前記測定容器の間に配されている、
請求項１に記載の粒状物の嵩密度を測定するための装置。
【請求項３】
前記粒状物フローを集約化するための前記手段は、漏斗として構成される、
請求項２に記載の粒状物の嵩密度を測定するための装置。
【請求項４】
前記測定容器は、サイドアームを介して前記測定装置に接続されている、
請求項１から３のいずれか１項に記載の粒状物の嵩密度を測定するための装置。
【請求項５】
前記粒状物フローの少なくとも一部のための排水口が、前記測定容器上に設けられている、
請求項１から４のいずれか１項に記載の粒状物の嵩密度を測定するための装置。
【請求項６】
前記測定装置は、秤として構成される、
請求項１から５のいずれか１項に記載の粒状物の嵩密度を測定するための装置。
【請求項７】
前記分離装置は、運搬フローを介して前記空気式の運搬ライン中を輸送された粒状物を、前記運搬フローから、粒状物フローとして分離するように構成される、
請求項１から６のいずれか１項に記載の粒状物の嵩密度を測定するための装置。
【請求項８】
前記分離装置は、ガスサイクロンとして構成される、
請求項１から７のいずれか１項に記載の粒状物の嵩密度を測定するための装置。
【発明の詳細な説明】
【技術分野】
【０００１】
本発明は、砂粒形状原材料の膨張のための方法であって、原材料が、温度プロファイルを形成するための手段を備えた略垂直な加熱されるシャフトを通じて下方へ落下し、シャフトフローであって、シャフト内の伝熱の結果として、原材料が膨張し、膨張した粒状物を形成し、形成された粒状物が、更なる輸送のための運搬フローを有する空気式運搬ライン内に、及び分離装置、好ましくは空気式運搬ラインに接続され得るガスサイクロンを備える装置に通される、シャフトフロー、が優勢である、方法、に関する。
【背景技術】
【０００２】
砂粒形状原材料から膨張した粒状物を生成する方法は、以下の特許文献１に開示されており、その目的は、膨張した粒状物が吸湿性を全く呈しない、またはほとんど呈しないように、膨張した粒状物の閉じた表面を制御可能な方式で調整することにある。加えて、膨張した粒状物の表面構造及びしたがって粗さに具体的に影響を与える可能性が提供される。この目的のため、この文書は、砂粒形状原材料の落下部に沿って配置された複数の独立して制御可能な加熱要素を提供すること、及び落下部に沿って温度検出を行うことを提案しており、加熱要素は、膨張プロセスが起きる領域の下で検出された温度に応じて制御される。落下部の下端からの膨張した粒状物の除去は、落下部が開口する空気式運搬ラインによって保証される。
【０００３】
シャフトの垂直配向の結果として、かつ、膨張プロセスに伴うプロセスガスの更なる導入または抽気の結果として、砂粒形状原材料に作用するフローがシャフト内部で発生する。特に、壁部付近の上向きの境界層流の形成は、この境界層流がシャフトの壁部上での砂粒形状原材料の焼成を防止するため、膨張プロセスの品質に対してプラスの効果を有する。膨張シャフトが頂部に向かって閉じていると、上向きの境界層流に加えて、中央の下向きのコアフローが確立される。このコアフローは、上述の境界層流の一部を妨げ、したがって焼成堆積物が生じる。コアフローの影響は、従来知られている、プロセスガスのシャフトのヘッド領域からの抽気及びシャフトのヘッド領域への吹き込みによって低減され得る。
【０００４】
このような上述のシャフト壁部上の焼成堆積物は、シャフト壁部から原材料への伝熱が悪化するという結果を有する。加えて、この結果は、境界層流の脱離であり、シャフトの他の領域に更なる焼成堆積物をもたらす。結果として、膨張プロセスの品質は、感知できるほど悪化し、シャフトを出て行く望ましからざる未膨張粒状物の割合が増加する。
【０００５】
砂粒形状原材料は天然起源の原材料であるため、これは、その組成において、例えば推進剤の割合の変動を有する。これは、プロセスパラメータが一定であるとき（ことによると、様々な制御可能な加熱要素によるシャフト内の特定の温度プロファイルの形成の間）、原材料の条件に応じて、膨張プロセスの品質が一定ではないという結果を有する。
【０００６】
公知のプロセスでは、膨張プロセスの品質は、無作為サンプルに基づいて測定されるだけであり、次いで、プロセスが再調整または停止が行われる。
【０００７】
そのため、砂粒形状原材料の変動する組成も焼成堆積物の形成も（これらは、いずれの場合にも、未膨張粒状物の割合が増加するか、または膨張した粒状物の所望の特性が達成されないために、最終製品の品質の悪化を生じさせる）速やかに検出することができないことが先行技術の欠点であることが見られ得る。
【０００８】
特許文献２は、計量装置に接続された容器が、二重の振動ふるいを介して継続的に充填され、燃焼材料が、吐出装置によって容器から継続的に吐出され得る、燃焼材料のリットル重量を決定するための装置に関する。
【先行技術文献】
【特許文献】
【０００９】
【特許文献１】国際公開第２０１３／０５３６３５号公報
【特許文献２】ドイツ特許第６６０８１５６号
【発明の概要】
【００１０】
本発明の基礎を形成する目的を定式化すると、砂粒形状原材料から膨張した粒状物を生成するための方法と、上述の欠点を有さず、膨張プロセスの品質が継続的に監視されることを保証する嵩密度を測定するための装置とを提供することである。本方法は、低い保守コストでトラブルのない動作を保証するべきである。本装置は、単純かつ信頼性ある設計によって特徴付けられるべきである。更に、多額の支出なしに本発明を既存のシステムに追加導入することが可能であるべきである。
【００１１】
この目的は、膨張した粒状物の嵩密度が継続的に測定され、少なくとも１つの定義された嵩密度からの逸脱を検出すると、シャフト内の温度プロファイルが自動もしくは手動で適合され、かつ／またはシャフト内への原材料のフィードが自動もしくは手動で低減される、当初述べた方法によって達成される。
【００１２】
本発明は、嵩密度の継続的な測定の結果として、膨張プロセスの品質が継続的に監視されることに基づいている。嵩密度が変化すると、膨張プロセスは、それに応じて適合され得る。これは、一方では信号、例えばプロセスの調整が必要であることを警告音がユーザに通知されることによって、または他方では予め定義されたパラメータに従ってシステムが自動でプロセスを適合させる自動化されたプロセスによって、成し遂げられ得る。
【００１３】
嵩密度の変量に基づいて原材料の変動条件が決定されると、これは、シャフト内の温度プロファイルを適合させることによって補償され得る。しかしながら、測定の結果としてシャフト内の焼成堆積量が決定されると、シャフト内の更なる焼成堆積物を抑止し、そのようにして修理支出を最小限に抑えるために、原材料のフィードは低減され、好ましくは停止され得る。
【００１４】
砂粒形状原材料に関しては、（例えばパーライトまたは黒曜石の砂等の）水を推進剤として結合した鉱物砂だけが使用され得るわけではない。これはまた、含水鉱物結合剤と混合された鉱物塵を含んでもよく、この場合、含水鉱物結合剤は、推進剤として作用する。この場合、膨張プロセスは、以下のように進行し得る。すなわち、例えば２０ｐｍの直径を有する比較的小さい砂粒からなる鉱物塵が、結合剤と共に、例えば５００ｐｍのより大きな粒を形成する。臨界温度において、鉱物塵の砂粒の表面は、可塑性になり、より大きな粒の閉じた表面を形成するか、または融解してそのような粒を形成する。個々のより大きな粒の閉じた表面は、通常、概して、このより大きな粒の形成に関与した鉱物塵の個々の砂粒の全表面の合計よりも小さいため、このようにして、表面エネルギーが得られるか、または表面対体積の比率が減少する。このとき、各々が閉じた表面を有するより大きな粒が存在し、粒は、鉱物砂塵及び含水鉱物結合剤のマトリックスを含む。これらの鉱物粒の表面は、上述のように可塑性であるため、形成される水蒸気が、後により大きな粒を膨張させ得る。つまり、含水鉱物結合剤は、推進剤として使用される。代替的な鉱物塵も推進剤と混合され得、推進剤は、好ましくは水を含有する鉱物結合剤とブレンドされる。例えば、ＣａＣＯ３が推進剤として使用され得る。この場合、上述のプロセスと同様の膨張プロセスが起こり得る。すなわち、比較的小さい砂粒サイズ（例えば、直径２０ｐｍ）を有する鉱物塵が、推進剤及び鉱物結合剤と共により大きな粒（例えば、直径５００ｐｍ）を形成する。臨界温度に到達すると、鉱物塵の砂粒の表面は、可塑性になり、より大きな粒の閉じた表面を形成するか、または溶解してそのような粒を形成する。より大きな粒の閉じた表面は、上述のように可塑性であり、今や推進剤によって膨張され得る。鉱物結合剤が含水である場合、これは、更なる推進剤として機能し得る。そのため、本発明による方法の好ましい実施形態では、推進剤を含む鉱物材料は、水が結合のための推進剤として作用する鉱物材料、または推進剤として作用する含水鉱物結合剤と混合された鉱物塵、もしくは鉱物結合剤とブレンドされた推進剤と混合された鉱物塵であって、鉱物結合剤が、好ましくは水を含有し、更なる推進剤として作用する、鉱物塵、を含むと規定されている。提示した方法をできるだけ効率的に実行できるためには、シャフト炉に加えて、（相互に独立して）制御可能な加熱要素及びインテリジェントな調節制御ユニットを有する複数の加熱ゾーンを設けることが好ましい。これは、加熱要素を、好ましくは炉シャフトに沿って測定された温度の関数として、制御する。
【００１５】
本発明による方法は、例えば、特許文献１におけるように構成され得る。したがって、その開示の全体が本明細書に組み込まれる。
【００１６】
好ましい実施形態によれば、運搬フローは、抽気装置によって生成される。抽気装置が運搬ラインの端部に、シャフトから離れる方向に向けて取り付けられる場合、運搬フローは、運搬ラインの全長にわたって得られ、例えばフィルタシステム等の他の要素が運搬ライン内に取り付けられ得る。
【００１７】
別の実施形態では、膨張した粒状物は、好ましくはガスサイクロンである分離装置によって運搬ライン内の運搬フローから分離されると規定されている。分離装置を運搬ライン内に取り付けることによって、膨張した粒状物を分離することが可能である。膨張した粒状物は本方法の最終製品を含むため、運搬フローからの集中除去（特にガスサイクロンによる）が有利である（これは例えばサイロ等の容器に接続され得るため）。
【００１８】
更なる好ましい実施形態では、分離装置、特にガスサイクロンによって分離された粒状物の嵩密度が測定される。プロセスのこの地点における測定は、ことによると光学式媒体または別個の測定ライン等の更なる複雑なユニットが運搬ライン内に必要とされないため、特に有利である。
【００１９】
特に好ましい実施形態によれば、分離された膨張した粒状物は、集約化されて粒状物フローを形成し、これは、測定容器内へ案内され、測定容器は、嵩密度を決定するための測定装置に接続される。このようにして、測定容器の定義された容積にわたって嵩密度の測定が達成され、測定装置によって計量された質量が達成される。この場合、測定容器の幾何形状は、好ましくは非常に単純に、ことによると円筒または直角プリズムとして、構成されるべきである。粒状物フローの集約化の結果として、プロセスの利用度の低下においてさえ測定容器が十分に充填されるように測定容器の均一な充填が保証され、または膨張プロセスの品質の変化が十分に迅速に検出される。
【００２０】
更なる好ましい実施形態は、分注要素がシャフトと運搬ラインとの間に設けられ、粒状物の定義された材料蓄積がシャフトフローを運搬フローから遮断するバッファとして分注要素内に形成されるように、シャフトから運搬ライン内に運ばれる粒状物の量が調節するための手段によって調節されると規定している。この配置は、それによってシャフトフローが運搬フローから遮断される場合、運搬ラインからの圧力変動（ことによるとフィルタの清掃サイクルのための）がもはやシャフトフローに影響を与えず、結果としてシャフト内の焼成堆積物の頻度が低減され得るため、シャフトフローに対して特にプラスの効果を有する。
【００２１】
更なる特に好ましい実施形態は、ヘッド領域に方向付けられたシャフトフローの部分を安定化するために、プロセス空気がシャフトのヘッド領域から抽気されるか、またはプロセス空気がシャフトのヘッド領域内へ吹き込まれると規定している。この変形例は、プロセス空気の抽気または吹き込みの結果として、有害な焼成堆積物を促進するいかなる二次フローも促進されない点でフロー条件が安定化されるため、特に高品質の膨張プロセスを達成する。
【００２２】
膨張した粒状物の嵩密度の測定のための本発明による装置は、空気式運搬ラインに接続され得るガスサイクロンとして構成された分離装置を備え、ガスサイクロンとして構成された分離装置からの粒状物フローの少なくとも一部を受け入れるための基部表面を有する少なくとも１つの測定容器が、動作状態のガスサイクロンの下に配置され、測定容器が、嵩密度を決定するための測定装置に接続される。分離装置がガスサイクロンとして構成されると非常に有利であることが証明されたものの、他の分離装置も実行可能である。
【００２３】
この装置は、分離装置によって（ガスサイクロンによって）分離された粒状物が、測定容器を充填させ、充填された状態に保つために、測定容器内に運ばれることに基づいており、粒状物フロー全体が測定容器内に入る必要はなく、その一部で十分である。測定容器は動作状態のガスサイクロンの下に位置付けられるため、更なる運搬装置は不要であり、重力で十分である。今や嵩密度は、単純な方式で、定義された容積の測定容器を使用して、好適な測定装置によって測定することができる。
【００２４】
膨張した粒状物の嵩密度を測定するための本発明による装置の更なる好ましい実施形態では、粒状物フローを集約化させるための手段（好ましくは漏斗）がガスサイクロンとして構成された分離装置と測定容器との間に配され、これによって、特に単純な集約化が達成される。集約化された粒状物フローの形成の結果として、運搬フロー内に粒状物がほとんど位置しない場合でさえ、測定容器の充填が保証される。
【００２５】
膨張した粒状物の嵩密度を測定するための本発明による装置の更なる特に好ましい実施形態は、測定容器がサイドアームを介して測定装置に接続されており、これによって、粒状物フロー内における測定容器の特に単純な位置決めが達成され、これはすでに既存のシステムにも追加導入することができると規定している。
【００２６】
膨張した粒状物の嵩密度を測定するための本発明による装置の更なる好ましい実施形態では、測定装置は、計量装置、好ましくは秤として構成される。この単純な形態の重量決定は、技術的に複雑でなく、費用対効果の高い嵩密度の測定を可能にし、多額の更なる支出なしに据え付けることができる。
【００２７】
膨張した粒状物の嵩密度を測定するための本発明による装置の更なる特に好ましい実施形態によれば、粒状物フローの少なくとも一部のための排水口が測定容器上に設けられる。この変形例は、測定容器が完全に満ちている場合に粒状物フローの蓄積を防止することを可能にし、これによって、フローの余剰部分は、好ましくは測定容器の縁部を越えて、測定容器から漏出し得る。
【００２８】
膨張した粒状物の嵩密度を測定するための本発明による装置の更なる特に好ましい実施形態では、測定容器は、粒状物フローの少なくとも一部が継続的に排出されることを可能にするための開口部を基部表面に有する。この配置は、嵩密度の速やかな測定及びしたがって膨張品質の決定を可能にするために、膨張した粒状物の全生成量のうちの特定の部分、好ましくは６０％が、測定容器を通って継続的に流れ得ることを保証する。
【００２９】
膨張した粒状物の嵩密度を測定するための本発明による装置の代替的な特に好ましい実施形態によれば、測定容器の基部表面は、測定容器の周期的な荷空け（好ましくは旋回することによる）のための装置が設けられるものの、開口部を有さない。測定容器のこのような設計は、閉塞の影響を受けにくく、速やかな測定が可能になるように設けられた荷空けプロセスによって粒状物の交換が達成される。旋回することによる荷空けは、非常に単純に行われ得るため、特に好ましい。
【００３０】
当初定式化した目的は、嵩密度を測定するための本発明による装置を使用した、本発明による方法を実行するための本発明によるシステムによって解決され、略垂直な加熱されるシャフトは、ガスサイクロンとして構成された分離装置に空気式運搬ラインを介して接続される。
【００３１】
本発明による方法及び本発明による装置の詳細な説明が、ここから続く。
【図面の簡単な説明】
【００３２】
【図１】本発明によるシステムの概略イメージを示す。
【図２】本発明による装置を含む、図１に関する詳細図を示す。
【発明を実施するための形態】
【００３３】
図１は、砂粒形状原材料１の膨張のためのシステムを示している。この場合、原材料１は、温度プロファイル３を形成するための手段２によって加熱され得る垂直シャフト４を通じて落下し、本実施形態では、複数の電気抵抗加熱器２が使用される。原材料は、シャフト４のヘッド領域１５内にフィードされる。抵抗加熱器２は個別に制御され得るため、シャフト４に沿って特定の温度プロファイル３が確立され得る。シャフト４からの原材料１に対して作用する熱放射の結果として、原材料１は膨張し、膨張した粒状物６を形成する。シャフト４の加熱された壁部及びそれに続くプロセス空気１６のため、シャフト４内にシャフトフロー５が確立される。
【００３４】
更なる抽気装置２４が、シャフト４のヘッド領域１５内に設けられ、ヘッド領域１５からプロセス空気１６を抽気し、そのようにしてシャフトフロー５を安定化する。加えて、制御ループ２５が、更なる抽気装置２４に連結され、抽気されるプロセス空気１６と吸引される周囲空気との割合を調節する。同様に、プロセス空気１６は、この更なる抽気装置２４またはここに図示されない別の装置のいずれかによって、シャフトフロー５を安定化させるためにヘッド領域１５内に吹き込まれてもよい。
【００３５】
シャフト４の下端には、シャフト４から空気式運搬ライン７内に運搬される粒状物６の量を調節する分注要素１４が位置付けられる。代替的な実施形態では、この分注要素１４は設けられず、その結果、シャフト４は、運搬ライン７に対して直接開口する。
【００３６】
抽気装置９（これは、好ましくはファンとして設計される）は、空気式運搬ライン７の一方の端部に装着され、運搬ライン７の他方の端部から周囲空気を吸引し、雰囲気に対して開口するように設計され、そのため膨張した粒状物６を運搬する。ガスサイクロン１０は、この運搬ライン７内部に位置付けられ、粒状物６は、これを介して運搬ラインから分離される。運搬ライン７内には、好ましくはガスサイクロン１０と運搬ライン７から小さい粒子を分離させる抽気装置９との間に配されるフィルタシステム２２が位置付けられる。更なる測定装置２３によって差圧を測定することによって、フィルタシステム２２が汚染された場合でさえ運搬ライン７内のフロー速度が一定にとどまるように、抽気装置９の運搬量が制御される。
【００３７】
図２は、空気式運搬ライン７に接続された分離装置（ここでは、ガスサイクロン１０として設計されている）によって、粒状物フロー１１として運搬ライン７から分離される膨張した粒状物６の嵩密度を測定するための装置の詳細図を示す。この実施形態では、測定容器１２が、動作状態のガスサイクロン１０の下に装着され、ガスサイクロン１０内の運搬ライン７から分離された粒状物フロー１１の少なくとも一部を受け入れる。この粒状物フロー１１を集約化させるため、漏斗１８が、ガスサイクロン１０と測定容器１２との間に位置付けられる。好ましくは、ガスサイクロン１０、漏斗１８、及び測定容器１２の長手方向軸が一致し、１つの軸を形成する。測定容器１２によって受け入れられ得ない粒状物フロー１１の部分は、測定容器１２の縁部にわたる排水口２０によって、これから漏出し得る。測定容器１２は、サイドアーム１９を介して、計量装置として設計される測定装置１３に接続される。計量装置内の重量及び測定容器１２の既知の容積を決定することによって、膨張した粒状物６の嵩密度は、したがって継続的に測定され得る。所望の嵩密度からの逸脱が判定されると、シャフト４の温度プロファイル３が経験的値を参照して修正されるか、もしくはシャフト４にフィードされる原材料の量が経験的値に基づいて低減されるか、または経験的値に基づいて温度プロファイルが修正され、かつ、シャフト４にフィードされる原材料の量が低減される。
【００３８】
図２は、測定容器１２が、その基部表面上に、それを通じて粒状物フロー１１の一部が継続的に排出される開口部２１を有することも示している。これらの開口部２１は、任意の形状、例えば、長方形、スロット、または正方形を有し得、特に、円形状の開口部２１が使用されることが好ましい。
【００３９】
膨張した粒状物６の典型的な粒径は、０．５〜５ｍｍの範囲内にある。測定容器１２を通る継続的フローを確保するために、粒径と開口部２１の直径との間の比率は、好ましくは１：３〜１：１００、特に好ましくは１：５〜１：５０、特に１：５〜１：２５である。例えば、２ｍｍの粒径及び３０の係数、１：１０の比率の場合、開口部２１の直径は、２ｍｍ×１０なので２０ｍｍとして得られる。
【００４０】
代替的な実施形態では、基部表面１７に開口部２１は設けられず、そのためこの変形例では、測定容器１２の荷空けは異なる方法で成し遂げられなければならない。好ましくは、荷空けは、測定容器１２の周期的な旋回によって、ことによると測定容器１２をサイドアーム１９上に回転可能に装着することによって、達成される。粒状物によって充填するための当初の位置に測定容器１２を戻すためには、測定容器１２の３６０°回転が必要とされる。しかしながら、ことによると測定容器１２をサイドアーム１９上に回転可能に配置することによって、相互に基部表面１７と整列され、漏斗１８から粒状物フローに対して法線方向に延びる軸の周りを回転可能である２つ以上の測定容器１２も設けられ得る。測定容器１２が２つある場合、回転角度または旋回角度は、したがって充填するための当初の位置に測定容器のうちの１つを戻す１８０°に低減され、測定容器１２が３つある場合、回転角度または旋回角度は、１２０°に、または測定容器１２が３つある場合は９０°に、低減されるであろう。測定容器１２がいくつかある場合、これらは、共通の基部表面１７を有し得る。ここで、本実施形態に係る発明の例を項目として記載する。
［項目１］
砂粒形状原材料の膨張のための方法であって、前記原材料が、温度プロファイルを形成するための手段を備えた略垂直な加熱されるシャフトを通じて下方へ落下し、前記シャフト内ではシャフトフローが優勢であり、前記シャフト内の伝熱の結果として前記原材料が膨張した粒状物に膨張し、生成された粒状物が、更なる輸送のための運搬フローを有する空気式運搬ライン内に入り、
前記膨張した粒状物の嵩密度が継続的に測定され、少なくとも１つの定義された嵩密度からの逸脱を検出すると、前記シャフト内の前記温度プロファイルが自動もしくは手動で適合され、かつ／または前記シャフト内への前記原材料のフィードが自動もしくは手動で低減され、
前記膨張した粒状物が、分離装置、好ましくはガスサイクロンによって前記運搬ライン内の前記運搬フローから分離され、
前記分離装置、特に前記ガスサイクロンによって分離された前記粒状物の前記嵩密度が測定され、
前記分離された膨張した粒状物が、集約化されて粒状物フローを形成し、前記粒状物フローが、測定容器内に案内され、
前記測定容器が、前記嵩密度を決定するための計量装置として構成された測定装置に接続され、
前記測定容器が、それを通じて前記粒状物フローの少なくとも一部が継続的に排出される開口部を基部表面に有する、砂粒形状原材料の膨張のための方法。
［項目２］
前記運搬フローが、抽気装置によって生成される、項目１に記載の方法。
［項目３］
分注要素が、シャフトと運搬ラインとの間に配されている、項目１または項目２に記載の方法。
［項目４］
前記シャフトのヘッド領域に方向付けられた前記シャフトフローの部分を安定させるために、前記ヘッド領域からプロセス空気が抽気される、項目１から項目３のいずれか一項に記載の方法。
［項目５］
前記シャフトのヘッド領域に方向付けられた前記シャフトフローの部分を安定させるために、前記ヘッド領域内にプロセス空気が吹き込まれる、項目１から項目３のいずれか一項に記載の方法。
［項目６］
前記膨張した粒状物の前記嵩密度を測定するための装置であって、空気式運搬ラインに接続され得るガスサイクロンとして構成された分離装置を備え、基部表面を有する少なくとも１つの測定容器が、ガスサイクロンとして構成された前記分離装置から前記粒状物フローの少なくとも一部を受け入れるための動作状態で前記ガスサイクロンの下に配され、前記測定容器が、前記嵩密度を決定するための測定装置に接続され、
前記測定装置が、計量装置、好ましくは秤として構成され、前記測定容器が、前記粒状物フローの少なくとも一部が継続的に排出されることを可能にするための、開口部を前記基部表面に有する、項目１から項目５のいずれか一項に従って前記膨張した粒状物の前記嵩密度を測定するための装置。
［項目７］
前記粒状物フローを集約化させるための手段、好ましくは漏斗が、ガスサイクロンとして構成された前記分離装置と前記測定容器との間に配されている、項目６に記載の装置。
［項目８］
前記測定容器が、サイドアームを介して前記測定装置に接続されている、項目６または項目７に記載の装置。
［項目９］
前記粒状物フローの少なくとも一部のための排水口が、前記測定容器上に設けられている、項目６から項目８のいずれか一項に記載の装置。
［項目１０］
前記略垂直な加熱されるシャフトが、前記空気式運搬ラインを介してガスサイクロンとして構成された前記分離装置に接続されている、項目６から項目９のいずれか一項に従って前記嵩密度を測定するための装置を有する、項目１から項目５のいずれか一項に記載の方法を実行するためのシステム。
【符号の説明】
【００４１】
１  砂粒形状原材料
２  手段
３  温度プロファイル
４  シャフト
５  シャフトフロー
６  膨張した粒状物
７  空気式運搬ライン
８  運搬フロー
９  抽気装置
１０  ガスサイクロン
１１  粒状物フロー
１２  測定容器
１３  測定装置
１４  分注要素
１５  ヘッド領域
１６  プロセス空気
１７  基部表面
１８  漏斗
１９  サイドアーム
２０  排水口
２１  開口部
２２  フィルタシステム
２３  更なる測定装置
２４  更なる抽気装置
２５  制御ループ
【図１】
2019148592.tif 000003
【図２】
2019148592.tif 000004
【外国語明細書】
2019148592000001.pdf